(57)【要約】【課題】画面上に、ｍ×ｎ個の画像をマトリックス状にマルチ表示した場合に、適当な大きさの拡大画像を表示することにより、画像の確認を容易ならしめること。【解決手段】例えば５×４個の画像をマトリックス状に配置して一覧表示した場合、所望の画像の上にマウスカーソルを移動してマウスの右ボタンを押すと、その押している間だけ、その画像を、当該画像に隣接する画像それぞれの全体を覆い隠さない程度に拡大して表示する。【選択図】　　　図６
2004046882.tif 000002
【特許請求の範囲】
【請求項１】
　画像一覧表示手段によって複数の画像を一覧表示し、
　前記一覧表示された複数の画像の中から、画像を選択するための画像選択手段のボタンが押されることによって選択される一つの画像を、前記画像一覧表示手段に拡大して表示する選択画像拡大方法であって、
　前記ボタンが押されることによって前記画像が選択されたことを判断し、その場合には前記選択された画像を拡大して表示し、
　前記押されたボタンが放されたかを判断し、当該ボタンが放されたと判断した場合には、前記拡大した表示から元の状態に戻すこと特徴とする選択画像拡大方法。
【請求項２】
　複数の画像を一覧表示する画像一覧表示手段と、
　前記一覧表示された複数の画像の中から一つの画像を選択するためのボタンを有する画像選択手段と、
　前記ボタンが押されることによって選択された画像を前記画像一覧表示手段に拡大して表示し、前記押されたボタンが放されたかを判断し、当該ボタンが放されたと判断した場合には前記拡大した表示から元の状態に戻す拡大表示制御手段と、
　を具備すること特徴とする選択画像拡大装置。
【請求項３】
　前記画像一覧表示手段は、前記複数の画像をマトリクス状に配置して一覧表示することを特徴とする請求項２に記載の選択画像拡大装置。
【請求項４】
　前記拡大表示制御手段は、前記選択された画像を、当該画像の表示位置において、拡大して表示することを特徴とする請求項２に記載の選択画像拡大装置。
【請求項５】
　前記ボタンは、マウスの右ボタンであることを特徴とする請求項２に記載の選択画像拡大装置。
【請求項６】
　画像一覧表示手段によって、複数の画像を、当該画像それぞれのＩＤナンバ若しくはファイル名を当該画像の周りに伴わせて一覧表示し、
　前記一覧表示された複数の画像の中から、画像を選択するための画像選択手段のボタンが押されることによって選択される一つの画像を、前記画像一覧表示手段に拡大して表示する選択画像拡大方法であって、
　前記ボタンが押されることによって前記画像が選択されたことを判断し、その場合には、当該画像の表示位置において、前記ＩＤナンバまたは前記ファイル名の少なくとも一部を覆い隠すが、隣接する画像それぞれの全体を覆い隠さない大きさに拡大しつつ前記ＩＤナンバ若しくは前記ファイル名は拡大することなく表示し、
　前記押されたボタンが放されたかを判断し、当該ボタンが放されたと判断した場合には、前記拡大した表示から元の状態に戻すこと特徴とする選択画像拡大方法。
【請求項７】
　複数の画像を、当該画像それぞれのＩＤナンバ若しくはファイル名を当該画像の周りに伴わせて一覧表示する画像一覧表示手段と、
　前記一覧表示された複数の画像の中から一つの画像を選択するためのボタンを有する画像選択手段と、
　前記ボタンが押されることによって選択された画像を、前記画像一覧表示手段に、当該画像の表示位置において、前記ＩＤナンバまたは前記ファイル名の少なくとも一部を覆い隠すが、隣接する画像それぞれの全体を覆い隠さない大きさに拡大しつつ前記ＩＤナンバ若しくは前記ファイル名は拡大することなく表示し、前記押されたボタンが放されたかを判断し、当該ボタンが放されたと判断した場合には前記拡大した表示から元の状態に戻す拡大表示制御手段と、
　を具備すること特徴とする選択画像拡大装置。
【発明の詳細な説明】
【技術分野】
【０００１】
　本発明は、一覧表示された複数画像の中から所望の画像を選択的に拡大表示する選択画像拡大方法及び装置に関する。
【背景技術】
【０００２】
　従来より、パーソナルコンピュータ等を用いて、各種データを蓄積して種々のデータベースを構築することが行われている。その一つに、画像データを多数蓄積してなる画像データベースがある。このような画像データベースでは、各種キーコードを入力することにより画像を検索し、表示することができる。さらには、ｍ×ｎ個の画像をマトリックス状に一覧表示する機能を持つものもある。
【０００３】
　また、パーソナルコンピュータでは、画像を作成，編集，管理するグラフィックソフトと呼ばれるアプリケーションプログラムも知られている。このようなものに於いても、複数画像をマトリックス状に一覧表示する機能を持つものがある。
【０００４】
　そして、これら画像データベースやグラフィックソフトでは、一覧表示された画像の中から所望の画像をマウスなどにより選択することにより、その選択された画像に対して所定の処理が行えるよう、その画像を読出して所定の作業エリア一杯に表示するのが一般的である。
【発明の開示】
【発明が解決しようとする課題】
【０００５】
　しかしながら、所望の画像の選択のために上記のように画面上にｍ×ｎ個の画像をマトリックス状に一覧表示すると、必然的に個々の画像は小さく表示されることとなり、その内容が判別し難く、処理対象として選択して良いものかどうかの判断をし難いような場合がある。
【０００６】
　本発明は、上記の点に鑑みてなされたもので、適当な大きさの拡大画像を表示することにより、画像の確認を容易ならしめる選択画像拡大方法及び装置を提供することを目的とする。
【課題を解決するための手段】
【０００７】
　上記の目的を達成するために、請求項１に記載の発明による選択画像拡大方法は、
　画像一覧表示手段によって複数の画像を一覧表示し、
　前記一覧表示された複数の画像の中から、画像を選択するための画像選択手段のボタンが押されることによって選択される一つの画像を、前記画像一覧表示手段に拡大して表示する選択画像拡大方法であって、
　前記ボタンが押されることによって前記画像が選択されたことを判断し、その場合には前記選択された画像を拡大して表示し、
　前記押されたボタンが放されたかを判断し、当該ボタンが放されたと判断した場合には、前記拡大した表示から元の状態に戻すこと特徴とする。
【０００８】
　また、請求項２に記載の発明による選択画像拡大装置は、
　複数の画像を一覧表示する画像一覧表示手段と、
　前記一覧表示された複数の画像の中から一つの画像を選択するためのボタンを有する画像選択手段と、
　前記ボタンが押されることによって選択された画像を前記画像一覧表示手段に拡大して表示し、前記押されたボタンが放されたかを判断し、当該ボタンが放されたと判断した場合には前記拡大した表示から元の状態に戻す拡大表示制御手段と、
　を具備すること特徴とする。
【０００９】
　また、請求項３に記載の発明による選択画像拡大装置は、請求項２に記載の発明による選択画像拡大装置において、
　前記画像一覧表示手段は、前記複数の画像をマトリクス状に配置して一覧表示することを特徴とする。
【００１０】
　また、請求項４に記載の発明による選択画像拡大装置は、請求項２に記載の発明による選択画像拡大装置において、
　前記拡大表示制御手段は、前記選択された画像を、当該画像の表示位置において、拡大して表示することを特徴とする。
【００１１】
　また、請求項５に記載の発明による選択画像拡大装置は、請求項２に記載の発明による選択画像拡大装置において、
　前記ボタンは、マウスの右ボタンであることを特徴とする。
【００１２】
　また、請求項６に記載の発明による選択画像拡大方法は、
　画像一覧表示手段によって、複数の画像を、当該画像それぞれのＩＤナンバ若しくはファイル名を当該画像の周りに伴わせて一覧表示し、
　前記一覧表示された複数の画像の中から、画像を選択するための画像選択手段のボタンが押されることによって選択される一つの画像を、前記画像一覧表示手段に拡大して表示する選択画像拡大方法であって、
　前記ボタンが押されることによって前記画像が選択されたことを判断し、その場合には、当該画像の表示位置において、前記ＩＤナンバまたは前記ファイル名の少なくとも一部を覆い隠すが、隣接する画像それぞれの全体を覆い隠さない大きさに拡大しつつ前記ＩＤナンバ若しくは前記ファイル名は拡大することなく表示し、
　前記押されたボタンが放されたかを判断し、当該ボタンが放されたと判断した場合には、前記拡大した表示から元の状態に戻すこと特徴とする。
【００１３】
　また、請求項７に記載の発明による選択画像拡大装置は、
　複数の画像を、当該画像それぞれのＩＤナンバ若しくはファイル名を当該画像の周りに伴わせて一覧表示する画像一覧表示手段と、
　前記一覧表示された複数の画像の中から一つの画像を選択するためのボタンを有する画像選択手段と、
　前記ボタンが押されることによって選択された画像を、前記画像一覧表示手段に、当該画像の表示位置において、前記ＩＤナンバまたは前記ファイル名の少なくとも一部を覆い隠すが、隣接する画像それぞれの全体を覆い隠さない大きさに拡大しつつ前記ＩＤナンバ若しくは前記ファイル名は拡大することなく表示し、前記押されたボタンが放されたかを判断し、当該ボタンが放されたと判断した場合には前記拡大した表示から元の状態に戻す拡大表示制御手段と、
　を具備すること特徴とする。
【発明の効果】
【００１４】
　本発明によれば、適当な大きさの拡大画像を表示することにより、画像の確認を容易ならしめる選択画像拡大方法及び装置を提供することができる。
【発明を実施するための最良の形態】
【００１５】
　以下、本発明を実施するための最良の形態を図面を参照して説明する。
【００１６】
　図１は本実施形態が適用された画像データベースシステムの構成を示す図で、画像データベース（ＤＢ）は、拡大表示制御手段として機能するパーソナルコンピュータ１０に内蔵されたハードディスク（ＨＤ）１２に構築される。該パーソナルコンピュータ１０には、入出力機器として、メモリカードドライブ１４，キーボード１６，画像選択手段として機能するマウス１８，イメージリーダ２０，ＣＤ−ＲＯＭドライブ２２，光磁気ディスク（ＭＯ）ドライブ２４，フロッピー（登録商標）ディスク（ＦＤ）ドライブ２６，プリンタ２８，画像一覧表示手段として機能するＣＲＴ３０等が接続される。
【００１７】
　ここで、画像データは、メモリカードドライブ１４，イメージリーダ２０，ＣＤ−ＲＯＭドライブ２２，ＭＯドライブ２４，ＦＤドライブ２６等の画像入力機器により画像ファイルとして入力され、ハードディスク１２に蓄積される。なお、メモリカードドライブ１４は、メモリカード３２に記録されたディジタルカードカメラ３４で撮影された画像データを読み出してパーソナルコンピュータ１０に入力するものである。
【００１８】
　このような画像入力機器から入力された画像ファイルより画像データベースを構築する手法については、既に良く知られているので、ここではその説明は省略する。
【００１９】
　以下、バックアップ等の目的で利用される画像ファイルの転送動作を例に、本実施形態を説明する。
【００２０】
　図２及び図３は、キーボード１６もしくはマウス１８により画像ファイルの転送が指示された時の、パーソナルコンピュータ１０の不図示ＣＰＵで実行される一連の動作フローチャートである。
【００２１】
　まず、ＣＲＴ３０に、図４の（Ａ）に示すような、転送する画像ファイルの送り側と受け側を選択するための転送設定画面を表示する（ステップＳ１）。そして、マウス１８操作により、転送する画像ファイルの送り側と受け側を、表示されているアイコン３６、即ちハードディスク，ＭＯ，メモリカード，フロッピー（登録商標）ディスクの中からそれぞれ選択する（ステップＳ２）。
【００２２】
　このとき、アイコン３６をマウス１８の左ボタンでクリックすると、同図の（Ｂ）に示すように、黒枠で強調表示され、選択されたことを表すようになっている。なお、転送の送り側と受け側に同じものは選択できない。また、選択された送り側と受け側の種類によって、画像を送り側から受け側へ移動する場合と、コピーする場合とがある。即ち、送り側がハードディスク、受け側がＭＯのとき、画像ファイルはハードディスクからＭＯへ移動される。これ以外の場合は、画像ファイルは送り側から受け側へコピーされる。そして、転送する画像の送り側と受け側の両者を選択すると、画面の中心部分の矢印３８が灰色から黒色に変わり、画像選択画面に進むことができるということを表す。
【００２３】
　ここで、「ＯＫ」ボタン４０を押す、即ちマウスカーソルをそこに移動してマウス１８の左ボタンをクリックすることにより（ステップＳ３）、転送の設定がなされ、次の画像選択画面が表示される。なお、転送する画像の送り側と受け側のどちらかあるいは両方が選択されていない場合、又は送り側と受け側に同じものが選択された場合はＮＧとして（ステップＳ４）、「ＯＫ」ボタン４０を押しても画像選択画面には進めない。
【００２４】
　こうして、転送設定が終わると、図５に示すようにｍ×ｎ（本実施形態では５×４）個の画像をマトリックス状に一覧表示してなる画像選択画面をＣＲＴ３０に表示する（ステップＳ５）。なお、この画面は、転送する画像の送り側にハードディスク、受け側にＭＯが選択された場合を示している。この画像選択画面では、転送する画像を選択し、「転送」ボタン４２を押すことによって画像ファイルの転送を行う。各画像の上には、画像データベースの中で画像を管理するＩＤナンバが、画像の下には、当該画像ファイルのファイル名が表示される。またこの画面の右上には、転送先の空き容量と選択された画像ファイルの合計が表示される。この例では、受け側の空き容量は９７．１Ｍバイトあり、現在選択されている画像ファイルの合計サイズは０．０Ｍバイトであることが表されている。そして、画面の右下には「転送」ボタン４２，「前」ボタン４４，「次」ボタン４６，「終了」ボタン４８の４つのボタンが表示される。
【００２５】
　このうち、「前」ボタン４４あるいは「次」ボタン４６を押すと（ステップＳ６）、それぞれ一つ前あるいは次の画像選択画面に移ることができるようになっている。ただしこの場合、選択された画像が有るときは（ステップＳ７）、その選択を解除して画面を移動しても良いかどうか問い合わせ表示を行い（ステップＳ８）、解除を望まない旨の指示をうけたときには、上記ステップＳ５に戻って現在の画像選択画面の表示を続ける。また、移動すべき前画面や次画面が無いときには（ステップＳ１０）、ビープ音を鳴らすだけとし（ステップＳ１１）、上記ステップＳ５に戻って現在の画像選択画面の表示を続ける。これに対して、移動すべき画面があるときには、当該前又は次画面を選択して（ステップＳ１２）、上記ステップＳ５にてその移動指示された画像選択画面の表示を行う。
【００２６】
　また、図５に示すような５×４つまり２０個の画像をマトリックス状に一覧表示する画像選択画面では、それぞれの画像は小さく表示されることとなる。このように小さい画像では、転送するか否かの判断をつけ難い場合がある。そのような場合には、さらに詳しくつまり大きく画像を表示させることができるようになっている。即ち、所望の画像にマウスカーソル５０を移動して、その画像の上でマウス１８の右ボタンを押し続けると（ステップＳ１３）、図６に示すように、その画素が大きく表示される（ステップＳ１４）。なおこの場合、画像は、その大きさ並びに位置が隣接する画像群に重ならないような拡大表示を行うものとする。そして、マウス１８の右ボタンを放すと（ステップＳ１５）、拡大表示は消え元の状態に戻る。
【００２７】
　一方、転送する画像を選択するときには、転送を望む画像の位置にマウスカーソル５０を移動させて、マウス１８の左ボタンでクリックする（ステップＳ１６）。このマウス１８の左ボタンのクリックにより選択された画像は、非選択画像と識別可能なように、例えば図７に示すように、赤枠で強調表示する（ステップＳ１８）。また、この画像の強調表示に伴って、画面の左上の転送画像量を更新する。なお、転送画像量が転送先空き容量を越えるときには（ステップＳ１７）、画像の選択はできないようにする。
【００２８】
　そして、「転送」ボタン４２が押されると（ステップＳ１９）、選択された画像が有れば（ステップＳ２０）、その選択された画像の画像ファイルが転送される（ステップＳ２１）。なおこのとき、前述したようなコピーの場合であれば、画像ファイルは転送されるごとに赤枠の強調表示が解除されるが、ハードディスクからＭＯへの転送の場合には、画像ファイルは移動されてハードディスク１２上には無くなるるので、図８に示すように、その画像は表示されなくなる。また、これ以降は、別の画面に移った後にこの画面に戻った場合には、図９に示すように、転送されてハードディスク１２に存在しない画像はつめて表示されることとなる。
【００２９】
　一方、画像が何も選択されていないときは（ステップＳ２０）、ビープ音をならし（ステップＳ２２）、転送は行わない。
【００３０】
　そして、「終了」ボタン４８が押されると（ステップＳ２３）、この画像の転送処理を終える。
【００３１】
　なお、上記ステップＳ１４での拡大表示に際しては、例えば図１０に示すように、隣接画像に一部重なっても、各隣接画像のすべてを覆い隠すことのないような、拡大表示を行うようにしても良い。
【００３２】
　以上のように、多数の画像の中から何らかの処理対象の画像を選択する際に、それらの画像をｍ×ｎ個マトリックス状に一覧表示して選択する場合、各画像が小さいため選択の判断がつき難いので、画像を選択的に大きく表示する。このとき、拡大される画像の大きさ及び位置を、隣接する画像群に重ならないような、あるいは一部重なっても隣接画像のすべてを覆い隠すことのないような、拡大表示を行う。即ち、一覧性を損なうこと無く、画像を拡大することで、画像の確認を容易ならしめることができる。
【００３３】
　なお、本発明は、上記の実施形態に限定されるものではない。例えば、上記実施形態は画像の転送の場合を例に説明したが、メモリカードやＣＤ−ＲＯＭ等に記憶された複数の画像ファイルの中から選択的に画像データベースに登録する際にも適用できる。また、マウスを用いなくとも、キーボードのカーソルキーやファンクションキー等により各種操作を行うことも可能であるし、ＣＤ−ＲＯＭドライブ，ＭＯドライブ，ＦＤドライブ等をパーソナルコンピュータに内蔵させるても良い。さらには、画像データベースシステムだけでなく、画像を取り扱うすべての応用に利用できる。その他、種々の変形並びに応用が可能である。
【図面の簡単な説明】
【００３４】
【図１】本発明を実施するための最良の形態の適用された画像データベースシステムのブロック構成図である。
【図２】実施形態の動作フローチャートの前半部分を示す図である。
【図３】実施形態の動作フローチャートの前半部分を示す図である。
【図４】（Ａ）及び（Ｂ）はそれぞれ転送設定画面を示す図である。
【図５】画像の一覧表示画面を示す図である。
【図６】画像の一覧表示画面に於ける拡大選択された画像の拡大法を示す図である。
【図７】画像の一覧表示画面に於ける転送選択された画像の識別表示を示す図である。
【図８】図７の転送選択画像の転送後の一覧表示画面を示す図である。
【図９】図８の画面から次又は前画面に移動後戻った時の図７の一覧表示画面を示す図である。
【図１０】画像の一覧表示画面に於ける拡大選択された画像の別の拡大法を示す図である。
【符号の説明】
【００３５】
　　１０…パーソナルコンピュータ、　１２…ハードディスク（ＨＤ）、　１４…メモリカードドライブ、　１６…キーボード、　１８…マウス、　２０…イメージリーダ、　２２…ＣＤ−ＲＯＭドライブ、　２４…光磁気ディスク（ＭＯ）ドライブ、　２６…フロッピー（登録商標）ディスク（ＦＤ）ドライブ、　２８…プリンタ、　３０…ＣＲＴ、　３２…メモリカード、　３４…ディジタルカードカメラ、　３６…アイコン、　３８…矢印、　４０…「ＯＫ」ボタン、　４２…「転送」ボタン、　４４…「前」ボタン、　４６…「次」ボタン、　４８…「終了」ボタン、　５０…マウスカーソル。
【図１】
2004046882.tif 000003
【図２】
2004046882.tif 000004
【図３】
2004046882.tif 000005
【図４】
2004046882.tif 000006
【図５】
2004046882.tif 000007
【図６】
2004046882.tif 000008
【図７】
2004046882.tif 000009
【図８】
2004046882.tif 000010
【図９】
2004046882.tif 000011
【図１０】
2004046882.tif 000012